(57)【要約】【課題】締付部材による面圧を管体の外周全周に連続的に作用させる。【解決手段】管体ｐの外周を水密性を持たせる伸縮カバー２で覆い、その管軸方向両端部全周をそれぞれ締付部材５，５で内径側に締付けて固定する全周締結式止水バンドにおいて、前記締付部材５，５は、前記伸縮カバー２の外周全周に巻回されるバンド部２１を有し、前記バンド部２１の両端部２２，２３は管軸周りに重複部分Ｌ４を形成し、前記巻回方向両端部２２，２３にそれぞれ設けられた係止部２２ａ，２３ａと、前記重複部分Ｌ４外に設けられた被係止部２２ｂ，２３ｂとを、それぞれ係止手段３０で係止して周方向に引き寄せることにより前記バンド部２１を内径側に締付けた。前記重複部分Ｌ４を含めて伸縮カバー２とバンド部２１とは全周に亘って連続的に密着可能であるので、締付部材５による面圧を、管体ｐの外周全周に連続的に作用させることができる。【選択図】図１
2008175313.tif 000002
【特許請求の範囲】
【請求項１】
管体ｐの外周に筒状の部材２を嵌めて、その筒状の部材２の外周を締付部材５により内径側に締付けることにより、前記管体ｐと前記筒状の部材２とを固定する止水バンドにおいて、
前記締付部材５は、前記筒状の部材２の外周全周に巻回されるバンド部２１を有し、前記バンド部２１の巻回方向両端部２２，２３は管軸周りに重複する方位に巻回されて重複部分Ｌ４を形成し、前記巻回方向両端部２２，２３にそれぞれ係止部２２ａ，２３ａが設けられて、前記バンド部２１の前記重複部分Ｌ４外に前記両係止部２２ａ，２３ａに対し周方向に対向する被係止部２２ｂ，２３ｂがそれぞれ設けられており、前記各係止部２２ａ，２３ａとその各係止部２２ａ，２３ａに対向する前記各被係止部２２ｂ，２３ｂとをそれぞれ係止して周方向に引き寄せることにより前記バンド部２１を全周に亘って内径側に締付ける係止手段３０を備えたことを特徴とする全周締結用止水バンド。
【請求項２】
前記バンド部２１の巻回方向両端部２２，２３は、前記重複部分Ｌ４において管軸方向に並列することを特徴とする請求項１に記載の全周締結用止水バンド。
【請求項３】
前記バンド部２１の巻回方向両端部２２，２３は、それぞれ周方向に伸びる突出片が管軸方向に沿って複数並列して櫛歯状を成し、前記巻回状態における前記重複部分Ｌ４は、前記巻回方向両端部２２，２３の各突出片が管軸方向に交互に並列することを特徴とする請求項１に記載の全周締結用止水バンド。
【請求項４】
請求項１乃至３のいずれかに記載の全周締結用止水バンドに使用する締付部材５であって、前記筒状の部材２の外周全周に巻回可能なバンド部２１を有し、前記バンド部２１は、前記巻回状態で、その巻回方向両端部２２，２３が管軸周りに重複する方向に巻回されて重複部分Ｌ４を形成するようになっており、前記巻回方向両端部２２，２３にそれぞれ係止部２２ａ，２３ａが設けられて、前記バンド部２１の前記重複部分Ｌ４外に前記両係止部２２ａ，２３ａに対し周方向に対向する被係止部２２ｂ，２３ｂがそれぞれ設けられており、前記各係止部２２ａ，２３ａとその各係止部２２ａ，２３ａに対向する前記各被係止部２２ｂ，２３ｂとをそれぞれ係止して周方向に引き寄せることにより前記バンド部２１を全周に亘って内径側に締付けることができる係止手段３０を備えた締付部材。
【請求項５】
前記筒状の部材２は、可撓性を有し且つ前記管体ｐ，ｐ同士を接続する伸縮管１の外周を管軸方向全長に亘って覆う伸縮カバーであり、前記伸縮カバーの管軸方向両端部にそれぞれ請求項１乃至３のいずれかに記載の全周締結用止水バンドを備え、前記各全周締結用止水バンドにより前記伸縮カバーを前記両管体ｐ，ｐに水密に固定した伸縮管用漏水防止装置。
【発明の詳細な説明】
【技術分野】
【０００１】
この発明は、管に取り付ける止水バンドに関するものである。
【背景技術】
【０００２】
一般に、水道管等の管体に水密構造を有する水密性部材を設ける場合において、外周側の水密性部材を、締付部材を用いて内周側に位置する管体に向かって締め付けることにより、両者を固定する止水バンドが使用される。
【０００３】
この種の止水バンドとして、例えば、分割式バンド、ウォームギアバンド、バンドイットと呼ばれるものが周知である。
【０００４】
分割式バンド１０は、図５に示すように、弧状のサドル部材１１，１１の対向するフランジ部１１ａ，１１ａ同士を、ボルト１５ａ及びナット１５ｂを用いて接続することにより、サドル部材１１，１１を環状に連結したものである。ボルト１５ａをナット１５ｂへねじ込むことにより、管体ｐの外周に設けた止水部材（水密性部材）２が内径側へ締付けられて、その止水部材２は管体pに密着し固定される。
【０００５】
また、例えば、図６に示す止水バンド１０’がある。この止水バンド１０’は、管継手部の外周を覆うＣ字状のバンド部１１’と、そのＣ字状のバンド部１１’の対向する両端部に、それぞれボルト締結部１２，１２が設けられて構成されている。
各ボルト締結部１２は、前記バンド部１１の両端部がそれぞれ径方向外側に折り返されて、その折り返した部分をバンド部１１の外面に溶接等で固定することにより環状に形成したものである。
【０００６】
このボルト締結部１２に、軸状又は筒状を成す金属製ワッシャ１３及び金属製ナット１４が挿通される。金属製ワッシャ１３及び金属製ナット１４は、それぞれその軸状又は筒状を成す本体の一部にその軸方向に直交するボルト挿通孔を有し、このうち金属製ナット１４のボルト挿通孔には、雌ねじ部が形成されている。
前記Ｃ字状のバンド部１１’を管継手部の外周に宛がって、前記両ボルト締結部１２，１２を周方向に対向させ、前記金属製ワッシャ１３に連結ボルト１５を挿通し、その連結ボルト１５の先端を前記金属製ナット１４の雌ねじ部にねじ込むことにより、前記バンド部１１’が内径側に向かって締付けられる構成となっている（例えば、特許文献１、特許文献２参照）。
【０００７】
【特許文献１】特公平２−５３６６９号公報
【特許文献２】特開２００１−１９３８７７号公報
【発明の開示】
【発明が解決しようとする課題】
【０００８】
図５に示す止水バンド１０によると、弧状のバンド部１１，１１同士が、ボルト１５ａ及びナット１５ｂで締め付けられる構成であるため、そのバンド部１１，１１のフランジ部１１ａ，１１ａ間に隙間ｗが介在する。
このため、その隙間ｗに対応する部分の管体ｐの外周の止水部材２には、前記締付部材５による面圧（内径方向に締め付ける面圧）が作用しないという問題があり、また、止水バンド１０を締め付け過ぎると、管体ｐと止水部材２との間に隙間を生じることもある。
【０００９】
また、図６に示す止水バンド１０’を用いた場合も同様に、Ｃ字状のバンド部１１’は対向するボルト締結部１２，１２間が不連続となっているため、その不連続な部分に対応する管体ｐの外周には、前記締付部材５による面圧が作用しないという問題がある。
【００１０】
この点、ウォームギアバンドやバンドイットによれば、上記のような不連続な部分を最小限の範囲にすることができる。しかし、一般にウォームギアバンドは、管体周囲に巻回される薄板状の締付部材と、その締付部材を内径方向に締め付けるウォームギヤ部とからなり、締付部材とウォームギヤ部との接続部分に高い強度を期待することができない。このため、その用途は、小口径の管体、低圧の流体を対象とする管体に限られる。
また、バンドイットはその締め付け力が弱いので、同じくその用途は、小口径の管体、低圧の流体を対象とする管体に限られる。
【００１１】
そこで、この発明は、水密性部材を管体の外周に固定するための締付部材による面圧を、管体の外周全周に連続的に作用させるとともに、大口径の管体、高圧の流体にも対応できる止水バンドとすることを課題とする。
【課題を解決するための手段】
【００１２】
上記の課題を解決するために、この発明は、管体の外周に筒状の部材を嵌めて、その筒状の部材の外周を締付部材により内径側に締付けることにより、前記管体と前記筒状の部材とを固定する止水バンドにおいて、前記締付部材は、前記筒状の部材の外周全周に巻回されるバンド部を有し、前記バンド部の巻回方向両端部は管軸周りに重複する方位に巻回されて重複部分を形成し、前記巻回方向両端部にそれぞれ係止部が設けられて、前記バンド部の前記重複部分外に前記両係止部に対し周方向に対向する被係止部がそれぞれ設けられており、前記各係止部とその各係止部に対向する前記各被係止部とをそれぞれ係止して周方向に引き寄せることにより前記バンド部を全周に亘って内径側に締付ける係止手段を備えたことを特徴とする全周締結用止水バンドの構成を採用した。
【００１３】
締付部材として、筒状の部材の外周全周に巻回可能なバンド部を用いて、そのバンド部に管軸周り重複する方向に巻回される重複部分を形成したので、その重複部分を含めて筒状の部材とバンド部とは全周に亘って連続的に密着可能である。
また、バンド部の両端部、すなわち前記重複部分の周方向両端部に位置する部分に、それぞれ係止部を設けて、その各係止部と前記重複部分外に設けた被係止部とをそれぞれ係止して引き寄せる構成としたので、締付部材による面圧を、管体の外周全周に連続的に作用させることができる。
【００１４】
そのバンド部を筒状の部材の外周全周に巻回するに際し、前記重複部分の処理として、例えば、バンド部の前記巻回方向両端部を径方向に重ねて二重にすることができる。しかし、バンド部の両端部を径方向に重ねると、その両端部のうち、径方向内側に位置する側の端部が径方向外側のバンド部によって隠れてしまい、その結果、その隠れた側の端部に設けた係止部も隠れて前記被係止部との係止及び締め付けが行いにくくなる。
このため、前記重複部分にかかる径方向外側に位置する側のバンド部に、径方向に貫通する孔を形成しておき、径方向内側に位置する側の端部をその孔に挿通することにより、外径側へ引き出す手法が挙げられる。このようにすれば、バンド部の両端部がそれぞれ外径側に露出し、係止部とその係止部に対向する被係止部との係止、及び締め付けが行いやすくなる。
【００１５】
また、前記重複部分の処理として、重複部分にかかるバンド部を径方向に重ねずに管軸方向に並列するように配置してもよい。このようにすれば、バンド部の両端部は、それぞれ外径側に露出し隠れることがない。
【００１６】
さらに、前記バンド部の巻回方向両端部は、それぞれ周方向に伸びる突出片が管軸方向に沿って複数並列して櫛歯状を成し、前記巻回状態における前記重複部分は、前記巻回方向両端部の各突出片が管軸方向に交互に並列する構成を採用してもよい。
バンド部の両端部をそれぞれ櫛歯状とし、その対向する櫛歯の各突出片が管軸方向に交互に並列する構成とすれば、その対向する両櫛歯の突出片と凹部同士が相互に噛み合った状態で伸縮カバーに面圧が付与される。このため、前記重複部分に作用する面圧を、不連続なくより均一な状態に維持し得る。
【発明の効果】
【００１７】
この発明は、水密性部材を管体の外周に固定するための締付部材による面圧を、管体の外周全周に連続的に作用させるとともに、大口径の管体、高圧の流体にも対応できる止水バンドとすることができる。
【発明を実施するための最良の形態】
【００１８】
この発明の実施形態を図面に基づいて説明する。この実施形態の全周締結用止水バンドは、図１に示すように、水道管等が河川、道路、鉄道などを横断する際に、相対する橋台Ａ，Ａ間を結んで設けられる水管橋Ｂに用いられるものである。
【００１９】
この水管橋Ｂには、温度変化に伴う管体ｐの伸縮や、地震等による下部工変位に伴い管体ｐに作用する引張力や押込み力、曲げを吸収できるように、管体ｐの途中に伸縮管１が設けられている。
【００２０】
伸縮管１は、管体ｐ，ｐの接合部の外周に、その管体ｐよりもやや大径の管体１ａを設け、シール材１ｂをリング状の固定部材１ｃで固定したものである。常時は、突き合わされた管体ｐ，ｐ同士を、距離ｔだけ離した状態に固定している。温度変化に伴う管の伸縮時や震災等による大きな外力が作用した場合は、シール材１ｂ及び固定部材１ｃと管体ｐの外周面との間にスリップが生じて、水道管がその管軸方向に沿って伸縮できるようになっている。
【００２１】
その伸縮管１の外周が、その全周、全長に亘ってゴム製の伸縮カバー（筒状の部材）２で覆われている。前記伸縮カバー２は、可撓性、伸縮性を有する柔軟な水密ゴムのシートを筒状に巻いて構成されている。その伸縮カバー２の軸方向両端部が、それぞれ前記伸縮管１を挟んで両側の管体ｐ，ｐの各固定具３，３に対し、締付部材５で内径側へ締付けられて水密に固定されている。
地震動により、伸縮管１が管体ｐから離脱すると伸縮カバー２が変形し、その伸縮カバー２を介して前記両管体ｐ，ｐの水密性が維持される。このため、水管橋Ｂの漏水が防止され、通水機能が阻害されない。
【００２２】
この実施形態では、前記固定具３は、Ｈ型断面を有する環状部材を採用しており、溶接により管体ｐの外周に不動に固定されている。なお、固定具３は、管体ｐの外周面に締付け等により不動に固定してもよい。また、前記ゴムシートは予め筒状に形成されたチューブを用いてもよいし、１枚のフラットなシート状のものを１周巻き（図２（ｃ）参照）、又は２周巻き以上に巻回（図２（ｄ）参照）して筒状にしてもよい。さらに、２枚又はそれ以上の枚数のゴムシートを併用して、必要に応じて１周巻き、又は２周巻き以上（図２（ｅ）参照）にして固定してもよい。
【００２３】
締付部材５は、図２（ａ）（ｂ）に示す金属製の固定バンド２０を採用している。固定バンド２０の構成は、図３に示すように、前記伸縮カバー２を巻き付ける前記固定具３の外周面の周方向円周長Ｌ１よりも、やや短い長さＬ２を有するフラットな金属製シートからなる平面視矩形のシート部Ｓと、そのシート部Ｓの両端に設けられた係止部２２ａ，２３ａ、及び被係止部２２ｂ，２３ｂとを備える。
【００２４】
前記シート部Ｓと係止部２２ａ，２２ｂ，２３ａ，２３ｂとを含めたバンド部２１の全長（管体ｐの管軸周りへの巻回方向全長）Ｌ５は、前記周方向円周長Ｌ１よりも長くなっている。このため、そのバンド部２１を前記伸縮カバー２の外周に巻回した状態で、図２（ｂ）に示すように、前記バンド部２１の巻回方向両端部２２，２３は、周方向重複する方向に巻回された部分である重複部分Ｌ４を形成する。
【００２５】
また、前記バンド部２１を前記伸縮カバー２の外周に巻回した状態で、図２（ｂ）に示すように、係止部２２ａとそれに対応する被係止部２２ｂとが、また、係止部２３ａとそれに対応する被係止部２３ｂとがそれぞれ周方向へ距離Ｌ３を隔てて対向する。
【００２６】
その各係止部２２ａ，２３ａ及び各被係止部２２ｂ，２３ｂは、前記シート部Ｓと同一の素材からなる金属製シートの先端部を二つ折りにして、その重ね合わされた金属製シートを溶接等により接合して環状部を形成したものである。
【００２７】
この各係止部２２ａ，２３ａが前記シート部Ｓの端縁から周方向に突出して伸びる突出片となって、その突出片が管軸方向に沿って複数並列して櫛歯状を成している。すなわち、前記各係止部２２ａ，２３ａが複数並列してそれぞれ櫛歯状に設けられている。
また、各係止部２２ａ，２３ａに対し周方向に対向する各被係止部２２ｂ，２３ｂも、同様に櫛歯状に設けられている。
【００２８】
この実施形態では、係止部２２ａ及び被係止部２２ｂは、シート部Ｓの長さＬ２方向に直交する方向にそれぞれ３箇所、係止部２３ａ及び被係止部２３ｂはそれぞれ４箇所等間隔設けられている。
【００２９】
この各係止部２２ａ，２３ａ及び各被係止部２２ｂ，２３ｂを、それぞれシート部Ｓの長さＬ２方向に直交する方向に何組設けるかは自由に設定でき、例えば、それぞれ２組、３組とすることもできる。
【００３０】
前記重複部分Ｌ４は、前記バンド部２１の巻回方向両端部２２，２３がそれぞれ櫛歯状となっているので、その巻回状態において、図４（ａ）（ｂ）に模式的に示すように、一方の櫛歯を成す各突出片（係止部２２ａ）が、向かい合う他方の櫛歯の突出片（係止部２３ａ）間の隙間に入り込んで、両突出片が管軸方向に交互に並列した状態となっている。  
【００３１】
この状態で、図２（ｂ）に示すように、係止部２２ａと被係止部２２ｂ、及び係止部２３ａと被係止部２３ｂとを、係止手段３０により係止し周方向に引き寄せる。
【００３２】
係止手段３０は、図３（ｃ）に示すように、前記係止部２２ａと被係止部２２ｂ、及び係止部２３ａと被係止部２３ｂ内にそれぞれ挿通可能な軸状の連結ピン３２ａ，３２ｂ；３３ａ，３３ｂと、ボルト軸３１とからなる接合金具３２，３３によって、前記係止部２２ａと被係止部２２ｂ、及び係止部２３ａと被係止部２３ｂとを係止し、バンド部２１の巻回方向両端部２２，２３を周方向に連結する。
【００３３】
なお、図３（ｃ）の図中の符号ａは雌ねじ溝を有するボルト挿通孔を示し、符号ｂはねじ溝を有さないボルト挿通孔、符号ｃはボルト軸３１の各頭部が嵌る座ぐりを示す。なお、連結ピン３２ｂ，３３ｂは、ボルト挿通孔ｂのみで座ぐりｃを設けない半円形状のものとしてもよい。
【００３４】
各接合金具３２，３３の連結ピン３２ａ，３２ｂ及び連結ピン３３ａ，３３ｂ間の距離Ｌ３，Ｌ３は、それぞれボルト軸３１，３１のねじ込み度合いの調整により、所定の範囲内で任意の長さに設定することができる。
このため、各ボルト軸３１，３１を軸周りに回転させることにより、前記バンド部２１はその全周に亘って内径側に締付けられる。この締め付けにより、前記伸縮カバー２の固定具３に対し押し付けられ、水密に固定される。また、ボルト軸３１の回転度合を適宜調整すれば、固定具３の外周面に対する締付け度合いを増減することもできる。
【００３５】
このとき、バンド部２１は、その一部が前記重複部分Ｌ４において周方向に重なる方位に巻回されているので、バンド部２１と伸縮カバー２とは全周に亘って不連続な部分なく密着する。このため、伸縮カバー２に対し全周に亘って連続的に面圧を加え、高い水密性を確保できる。
【００３６】
この実施形態では、１枚の固定バンド２０で伸縮カバー２の全周を覆ったが、例えば２枚以上の固定バンド２０を用いてもよい。
すなわち、固定バンド２０を周方向に複数に分割して、その分割した各固定バンド２０，２０の各巻回方向両端部２２，２３；２２，２３に、それぞれ前記各係止部２２ａ，２３ａ、各被係止部２２ｂ，２３ｂを設けて、対向する前記係止部２２ａと被係止部２２ｂ、及び係止部２３ａと被係止部２３ｂ間をそれぞれ前記係止手段３０によって周方向に係止し締め付ける構成としてもよい。
【００３７】
なお、管体ｐ，ｐ内の内圧が高くなると、伸縮カバー２が径方向外側に盛り上がって固定バンド２０を管軸方向外側へ押し出そうとする。このため、その固定バンド２０が前記固定具３から外れないようにするために、図２（ａ）に示すように、固定バンド２０の脱落を防止する脱落防止具７を固定具３又は管体ｐに設けても良い。
【００３８】
この実施形態では、本発明の全周締結用止水バンドを、比較的大口径の管体ｐを用いた水管橋Ｂの伸縮管１におけるゴム製の伸縮カバー２に採用したが、この実施形態に限定されず、この全周締結用止水バンドは、口径や管体ｐ内を流れる流体の種別、圧力の大小等に係わらず、広く水道管等の各種の管体ｐに水密構造を有する水密性部材を設ける場合において使用することができる。
【図面の簡単な説明】
【００３９】
【図１】一実施形態の断面図
【図２】（ａ）伸縮管の外周に伸縮カバー、締付部材を取り付けた状態を示す斜視図、（ｂ）は（ａ）の断面図、（ｃ）（ｄ）（ｅ）はそれぞれ伸縮カバーの構成を示す略図
【図３】（ａ）は伸縮カバーの締付部材の平面図、（ｂ）は同正面図、（ｃ）は、接続金具の詳細図
【図４】締付部材の詳細を示し、（ａ）は平面図、（ｂ）は正面図
【図５】従来例の側面図
【図６】従来例の側面図
【符号の説明】
【００４０】
１  伸縮管
２  筒状の部材（伸縮カバー，水密性部材）
３  固定具
５  締付部材
１０，１０’  止水バンド
２０  固定バンド（止水バンド）
２１  バンド部
２２ａ，２３ａ  係止部
２２ｂ，２３ｂ  被係止部
３０  係止手段
３１  ボルト軸
３２，３３  接合金具
３２ａ，３２ｂ，３３ａ，３３ｂ  連結ピン
Ａ  橋台
Ｂ  水管橋
ｐ  管体
Ｓ  シート部
【図１】
2008175313.tif 000003
【図２】
2008175313.tif 000004
【図３】
2008175313.tif 000005
【図４】
2008175313.tif 000006
【図５】
2008175313.tif 000007
【図６】
2008175313.tif 000008